(57)【特許請求の範囲】
【請求項１】
丸ピン型の栓刃を受ける刃受け部と平型の栓刃を受ける刃受け部と、外部から挿入される電線を機械的且つ電気的に接続する速結端子とを埋め込み配線器具の規格化された１個モジュールの大きさとして形成されたケース内に内装するとともに、該ケースに形成された栓刃用挿入孔を開閉する一対の扉をケースに内装したものであって、栓刃用挿入孔を備えたカバーとボディとからなるケース内には中枠が装着されて該中枠とカバー内面との間の空間に上記扉が配設されており、両側に張り出す一対の翼片を備えて相互にスライド自在に対向している各扉は、夫々他方の扉側に向けて突出する棒状片を備えて、上記スライド方向に長い上記棒状片は上記中枠上に位置しており、ケースに形成された対の栓刃用挿入孔と上記刃受け部との間に翼片を位置させた上記扉は翼片の上記挿入孔側の面が傾斜面として形成されて、栓刃による傾斜面の押圧でばね付勢に抗してスライドして挿入孔を開くものであることを特徴とする扉付きコンセント。
【請求項２】
扉は両側に張り出す翼片を一対の栓刃用挿入孔の直下に位置させたものであるとともに、両翼片の中間部を中心に揺動自在となっており、ケース内には揺動して傾いた扉の開き動作を阻止するストッパーを備えていることを特徴とする請求項１記載の扉付きコンセント。
【請求項３】
扉は平型の栓刃の当接部分の近傍に補強リブを備えていることを特徴とする請求項１記載の扉付きコンセント。
【請求項４】
ケース内には刃受け部の異常開きを防ぐ異常開き防止部が設けられていることを特徴とする請求項１記載の扉付きコンセント。
【請求項５】
中枠はカバーとの係合部を備えていることを特徴とする請求項１記載の扉付きコンセント。
【請求項６】
中枠及びボディは対の栓刃に対応する対の刃受け部の間を仕切る仕切り部を備えているとともに、中枠の仕切り部とボディの仕切り部とは相互係合部を備えていることを特徴とする請求項５記載の扉付きコンセント。
【請求項７】
両扉は同形同大であることを特徴とする請求項１記載の扉付きコンセント。
【請求項８】
両扉は各外側面とカバー内壁面との間に配されたばねによって相互に閉じる方向に付勢されていることを特徴とする請求項１記載の扉付きコンセント。
【請求項９】
棒状片が中枠に形成された溝に納められて扉は棒状片を中心に揺動自在となっていることを特徴とする請求項２記載の扉付きコンセント。
【請求項１０】
両扉は相互に重なるオーバーラップ部を備えていることを特徴とする請求項１記載の扉付きコンセント。
【請求項１１】
扉はばねの仮止め係止部を備えていることを特徴とする請求項８記載の扉付きコンセント。
【請求項１２】
ばねはコイルばねであり、扉はボスが内部に突出する穴をばね取り付け部として備えていることを特徴とする請求項８記載の扉付きコンセント。
【請求項１３】
カバーはその内面に対の扉の位置決め手段を備えていることを特徴とする請求項１記載の扉付きコンセント。
【発明の詳細な説明】
【０００１】
【発明の属する技術分野】
本発明は、丸ピン型の栓刃と平型の栓刃との両方に対応しているとともに、栓刃挿入孔を通常時は閉じている扉を備えている扉付コンセントに関するものである。
【０００２】
【従来の技術】
丸ピン型の栓刃と平型の栓刃との両方に対応しているユニバーサルコンセントと称されるコンセントがある。この種のコンセントでは、丸型栓刃用の栓刃挿入孔と平型栓刃用の栓刃挿入孔とが連なって一つの栓刃挿入孔を形成している。
【０００３】
【発明が解決しようとする課題】
この場合、栓刃挿入孔の開口面積が大きいために導電性の異物が差し込まれて感電事故を招く虞が高くなっている。
本発明はこのような点に鑑みなされたものであって、その目的とするところは丸ピン型の栓刃と平型の栓刃との両方に対応している上に感電事故の虞がない扉付コンセントを提供するにある。
【０００４】
【課題を解決するための手段】
しかして本発明は、丸ピン型の栓刃を受ける刃受け部と平型の栓刃を受ける刃受け部と、外部から挿入される電線を機械的且つ電気的に接続する速結端子とを埋め込み配線器具の規格化された１個モジュールの大きさとして形成されたケース内に内装するとともに、該ケースに形成された栓刃用挿入孔を開閉する一対の扉をケースに内装したものであって、栓刃用挿入孔を備えたカバーとボディとからなるケース内には中枠が装着されて該中枠とカバー内面との間の空間に上記扉が配設されており、両側に張り出す一対の翼片を備えて相互にスライド自在に対向している各扉は、夫々他方の扉側に向けて突出する棒状片を備えて、上記スライド方向に長い上記棒状片は上記中枠上に位置しており、ケースに形成された対の栓刃用挿入孔と上記刃受け部との間に翼片を位置させた上記扉は翼片の上記挿入孔側の面が傾斜面として形成されて、栓刃による傾斜面の押圧でばね付勢に抗してスライドして挿入孔を開くものであることに特徴を有している。扉によって感電事故を防ぐことができる。
【０００５】
扉は両側に張り出す翼片を一対の栓刃用挿入孔の直下に位置させたものであるとともに、両翼片の中間部を中心に揺動自在となっており、ケース内には揺動して傾いた扉の開き動作を阻止するストッパーを備えたものとなっているのが好ましい。
また扉は平型の栓刃の当接部分の近傍に補強リブを備えていることが好ましい。
【０００６】
ケース内には刃受け部の異常開きを防ぐ異常開き防止部を設けておくのが好ましい。
さらに中枠はカバーとの係合部を備えたものとしておくとよい。
【０００７】
上記中枠及びボディは対の栓刃に対応する対の刃受け部の間を仕切る仕切り部を備えているとともに、中枠の仕切り部とボディの仕切り部とは相互係合部を備えていることが好ましい。
前記２枚の扉は同形同大としておくのがよい。
【０００８】
両扉は各外側面とカバー内壁面との間に配されたばねによって相互に閉じる方向に付勢されたものであることが好ましく、栓刃当接面が傾斜面として形成されて栓刃の当接でスライドする扉はスライド方向と逆方向に突出する倒れ防止部を備えていることも好ましい。
両扉が相互に重なるオーバーラップ部を備えていたり、ばねの仮止め係止部を備えていることも好ましく、ばねがコイルばねである場合、扉はボスが内部に突出する穴をばね取り付け部として備えたものとなっているのが好ましい。
【０００９】
カバーはその内面に対の扉の位置決め手段を備えていることが好ましい。
【００１０】
【発明の実施の形態】
以下本発明を実施の形態の一例を図に基づいて詳述すると、図示のコンセントは、たとえば図１１に示すように、取り付け枠５０を介して配線ボックス５３に取り付けられる埋め込み配線器具として形成されたもので、この種の埋め込み配線器具における規格化された一個モジュールの大きさのものとなっている。
【００１１】
このコンセントにおける外殻を構成するケース１は、一面が開口するボディ１０と、このボディ１０の開口側に取り付けられるカバー１１とで形成されている。上記ボディ１０はその内部が仕切り壁１２で２つの収納部１３，１３に区画されており、各収納部１３には解除釦２９と２個の鎖錠ばね２６，２６と刃受けばね２とが夫々収められている。
【００１２】
刃受けばね２は弾性を有する導電性金属材料より形成されたもので、一対の弾性片２２，２２が相対している丸ピン型栓刃用の刃受け部２０と、上記弾性片２２，２２の片側の側縁とこの側縁に対向する弾性片２３とからなる平型栓刃用の刃受け部２１とを備えるとともに、上記鎖錠ばね２６，２６とによって速結端子を構成している端子板部２５を備えたもので、該速結端子には、ボディの背面側に形成された電線挿入孔から電線の被覆を剥いだ先端を差し込むことで結線がなされる。なお、上記解除釦２９はこの結線を解除するためのもので、ボディ１０の背面に開口している解除用孔１９からドライバーなどの先端を差し込むことで解除釦２９を動かして鎖錠ばね２６を撓ますことで、鎖錠ばね２６の端縁による電線の端子板部２５への押し付けを緩めて電線を引き抜くことで、結線の解除を行うことができる。
【００１３】
ボディ１０の開口面側に取り付けられるカバー１１は、その表面に一対の端子挿入孔１４，１４を備えている。各端子挿入孔１４は、丸ピン型栓刃用の挿入孔１４ａと平型栓刃用の挿入孔１４ｂとが一体となっているもので、対の挿入孔１４ａ，１４ａの内側に対の挿入孔１４ｂ，１４ｂが位置している。
カバー１１の内部には一対の扉４，４と一対のばね５，５、そして中枠３が納められる。中枠３は一対の貫通孔３１，３１と、この貫通孔３１，３１の間に位置する溝３０と、各貫通孔３１の両側に位置する突部３２，３２とを備えたもので、図８に示すように、カバー１１内壁に設けられた突起１７との係合でカバー１１に仮止めすることができるものとなっている。そして、上記の一対の扉４，４と一対のばね５，５とは該中枠３とカバー１１の内面との間に配設される。
【００１４】
同形のものとして形成されている一対の扉４は、両側に張り出す翼片４１，４２と、他方の扉４側に突出する棒状片４０とを備えたもので、棒状片４０は中央よりも翼片４１側に寄った位置に設けられており、両扉４，４を相対させて組み合わせた時、棒状片４０，４０同士が並ぶとともに、相互にスライド自在となっている。また、各翼片４１，４２の上面は他方の扉４側が低くなる傾斜面４３として形成されている。
【００１５】
この扉４，４は、上記棒状片４０，４０が中枠３の溝３０に納められるとともに、その外面側とカバー１１の内壁との間にコイルばねであるばね５，５が配された状態でカバー１１内に納められ、ばね５，５による付勢で両扉４，４は相互に接する状態となる。
中枠３及び扉４，４を納めたカバー１１は、金属製の組み立て枠６，６によってボディ１０に取り付けられるのであるが、カバー１１に被せた組み立て枠６の先端をボディ１０の外面に係止することで組み立てた時、図８に示すように、中枠３の貫通孔３１内に上記刃受けばね２の刃受け部２０，２１が位置するとともに、中枠３はボディ１０における前記仕切り壁１２と係合して、両刃受けばね２，８間を分離し、プラグの開閉によって発生する切り粉の回り込みで短絡が生じてしまうことを防ぐ。また、貫通孔３１の内部に刃受け部２０，２１を位置させることで、刃受けばね２の異常開きを阻止する。図８中の３５は刃受け部２１用の異常開き阻止部を示している。そして扉４，４は、カバー１１の挿入孔１４と刃受けばね２との間に位置する。
【００１６】
すなわち、一方の扉４の翼片４１は他方の扉４の翼片４２に少し被さることで隙間が両扉４，４間に生ずることがない状態で両扉４，４がばね５，５による付勢で接触しているのであるが、このように閉じた扉４，４が挿入孔１４と刃受けばね２との間に位置して、図２に示すように、挿入孔１４の奥に位置する刃受けばね２を隠す。
【００１７】
ここにおいて、カバー１１の内面には、図７に示すように位置決めリブ１８が突出しており、ばね５で付勢されている扉４は図５に示す当接面４６を位置決めリブ１８に当接させることで、両扉４，４は閉じた状態の位置が定められる。
この状態で、プラグの栓刃を両挿入孔１４に差し込めば、各栓刃は扉４，４の翼片４１，４２の傾斜面４３を押すことで、扉４をばね５に抗して動かして、両扉４，４の間を広げるものであり、このために栓刃は刃受けばね２にまで達して、栓刃が丸ピン型のものであれば刃受け部２０に、平型のものであれば刃受け部２１に差し込まれる。プラグを抜けば、両扉４，４はばね５，５による付勢で復帰して再度挿入孔１４を閉じる状態となる。
【００１８】
そして、この扉付きコンセントにおいては、プラグにおける一対の栓刃が同時に差し込まれない時、つまり図９に示すように、片側の栓刃７０のみが差し込まれる時には、扉４，４が開かず、片方の栓刃７０のみが刃受けばね２に差し込まれるという状態が生じないようになっている。すなわち、片方の栓刃７０のみを差し込んだ時には、図９に示すように、両扉４，４は中枠３の溝３０によって受けられている棒状片４０，４０を中心として栓刃７０で押されて片側に傾くものであり、この傾きによって図９及び図１０に示すように、翼片４１，４２は中枠３の突部３２，３２間に入り込み、栓刃７０が傾斜面４３を押すことで両扉４，４を押し開こうとしても、突部３２との干渉で開くことがないものである。なお、栓刃７０を差し込んだ時、傾斜面４３に栓刃７０が当たる関係で、図６において左右方向にも扉４が傾こうとするが、扉４のスライド方向に長く且つ他方の扉４側に向けて突出している棒状片４０が中枠３上に位置しているために、棒状片４０が上記傾きを阻止する。
【００１９】
各扉４の平型の栓刃７０が当たることになる部分の中枠３側の面に設けたリブ４７は、平型の栓刃７０の挿入時に扉４にかかる抵抗が大きいことに鑑みて設けた補強リブである。
また、コイルばねである一対のばね５，５を扉４，４の間に設けずに両サイドに設けているのは、扉４，４の開閉によってばね５，５が折れても異極間の短絡が生じることがないようにしている意味を有している。なお、扉４におけるばね５を受ける部分は、図５及び図６に示すように、内部にボス４５が突出する穴４４として形成されており、ばね５を穴４４にはめ込めば、根元が太くなっているボス４５にばね５が係合するようになっている。組み立てに際しては、扉４にばね５を組み付けた状態でカバー１１内に組み入れるわけであるが、ばね５が扉４から抜け落ちることがなくて、組み立て作業性がよいものである。
【００２０】
以上の実施の形態においては、一対の扉４，４で挿入孔１４を閉じるようにしたものを示したが、単一の扉４のみで挿入孔１４を閉じるようにしたものに比して、２個の扉４，４を組み合わせて挿入孔１４を閉じる方が、挿入孔１４を開いた時の扉４の退避スペースが小さくてすむために、図示例のような１個モジュールのものに扉４を設ける場合に有利である。
【００２１】
また２個１組の扉４，４を用いるにあたり、ここでは同形同大のものを用いて部品の種類数の削減を図っているが、両扉４，４は必ずしも同形同大のものである必要はない。
図１１は上記コンセントを埋め込み配線ボックス５３に取り付ける場合を示しており、組み立て枠６から突出する係止突起６０を取り付け枠５０に係止させて取り付け枠５０に取り付けた状態で配線ボックス５３の表面に固定される。そして配線ボックス５３の表面にはプレート５１を介して表面プレート５２が取り付けられ、コンセントの表面が表面プレート５２に形成された窓に臨む。
【００２２】
【発明の効果】
以上のように本発明においては、丸ピン型の栓刃を受ける刃受け部と平型の栓刃を受ける刃受け部と、外部から挿入される電線を機械的且つ電気的に接続する速結端子とを埋め込み配線器具の規格化された１個モジュールの大きさとして形成されたケース内に内装しているために、１個モジュールの大きさでありながら、丸ピン型の栓刃と平型の栓刃との両方に対応することができるものであり、しかもケースに形成された栓刃用挿入孔を開閉する扉をケースに内装しているために、扉によって不用意な感電事故を防ぐことができるものである。殊に栓刃用挿入孔を備えたカバーとボディとからなるケース内には中枠が装着されて該中枠とカバー内面との間の空間に上記扉が配設されており、両側に張り出す一対の翼片を備えて相互にスライド自在に対向している各扉は、夫々他方の扉側に向けて突出する棒状片を備えて、上記スライド方向に長い上記棒状片は上記中枠上に位置しており、ケースに形成された対の栓刃用挿入孔と上記刃受け部との間に翼片を位置させた上記扉は翼片の上記挿入孔側の面が傾斜面として形成されて、栓刃による傾斜面の押圧でばね付勢に抗してスライドして挿入孔を開くものであることから、小さい１個モジュールのケース内に合理的に扉を配置することができるほか、扉から他方の扉側に向けて突出するとともに扉のスライド方向に長くて中枠上に位置する棒状片が、扉の開閉動作をスムーズなものとする。
【００２３】
扉は両側に張り出す翼片を一対の栓刃用挿入孔の直下に位置させたものであるとともに、両翼片の中間部を中心に揺動自在となっており、ケース内には揺動して傾いた扉の開き動作を阻止するストッパーを備えたものとなっているのが好ましい。片方の栓刃のみを差し込んだ時には扉が傾いて開くことが防がれるために、片栓刃挿入による事故を防ぐことができる。
【００２４】
また扉が平型の栓刃の当接部分の近傍に補強リブを備えていると、平型栓刃の挿入時にかかる抵抗で扉が破損することがない。
ケース内には刃受け部の異常開きを防ぐ異常開き防止部を設けておくのが丸ピン型と平型の栓刃とを受けることができるものにおけるクリアランスの大きさに起因する刃受けばねの損傷を防止することができる。
【００２５】
さらにカバーとの係合部を中枠が備えていると、良好な組み立て性を得ることができる。
上記中枠及びボディは対の栓刃に対応する対の刃受け部の間を仕切る仕切り部を備えているとともに、中枠の仕切り部とボディの仕切り部とは相互係合部を備えていることが好ましい。プラグの開閉により発生する切り粉の回り込みによる短絡を防ぐことができる。
【００２６】
２枚の扉は同形同大としておくと、製造組み立ての合理化を図ることができる。
両扉は各外側面とカバー内壁面との間に配されたばねによって相互に閉じる方向に付勢されたものであることがばねの折損に起因する異極間短絡の防止に有利である。
【００２７】
両扉が相互に重なるオーバーラップ部を備えたものでは、両扉間に隙間が生じることがない上に、細い異物が通過してしまうことを防ぐことができる。また、扉がばねの仮止め係止部を備えていると、ばねと扉とをカバー内に組み込むことが容易となり、ばねがコイルばねである場合、扉はボスが内部に突出する穴をばね取り付け部として備えたものとなっていると、扉へのばねの組み付けが容易となる。
【００２８】
カバーはその内面に対の扉の位置決め手段を備えていることが好ましい。扉の閉じた位置を適切な位置とすることができ、これに伴って栓刃で扉を押すことで扉を開く動作をスムーズにすることができる。
【図面の簡単な説明】
【図１】本発明の実施の形態の一例の分解斜視図である。
【図２】（ａ）は同上の正面図、（ｂ）は同上のカバーを外した状態の正面図である。
【図３】（ａ）は同上の扉が開いている状態の正面図、（ｂ）は扉が開いた状態でカバーを外した状態の正面図である。
【図４】同上の破断側面図である。
【図５】同上の扉とばねの分解斜視図である。
【図６】（ａ）（ｂ）は同上の扉の組み合わせ状態を示す断面図である。
【図７】（ａ）はカバーの背面図、（ｂ）はカバーを外した状態の正面図である。
【図８】同上の縦断面図である。
【図９】片側の栓刃のみを差し込んだ状態を示すもので、（ａ）は縦断面図、（ｂ）は一部拡大図である。
【図１０】片側の栓刃のみを差し込んだ状態を示すもので、（ａ）は横断面図、（ｂ）は一部拡大図である。
【図１１】取り付け状態を示す分解斜視図である。
【符号の説明】
１  ケース
２  刃受けばね
４  扉
【図１】
0003627508.tif 000002
【図２】
0003627508.tif 000003
【図３】
0003627508.tif 000004
【図４】
0003627508.tif 000005
【図５】
0003627508.tif 000006
【図６】
0003627508.tif 000007
【図７】
0003627508.tif 000008
【図８】
0003627508.tif 000009
【図９】
0003627508.tif 000010
【図１０】
0003627508.tif 000011
【図１１】
0003627508.tif 000012